(57)【要約】【課題】背フレームの強度を確保しながら、クッション体の上部を後方に撓み易くすることにより、快適な背凭れ感が得られるようにした背凭れ構造を提供する。【解決手段】背フレーム２１を、左右方向を向く下部フレーム２３と、この下部フレーム２３の両側端部上面に立設された左右１対の側部フレーム２４と、下部フレーム２３の上面と左右の側部フレーム２４における下部の対向面に連設された背板２５とにより、両側部フレーム２４における背板２５より上方の対向面間が解放された正面視ほぼ凹形をなすものとし、左右の側部フレーム２４における背板２５より上方の対向面間に弾性伸縮手段３２、３２を設け、この弾性伸縮手段３２を含む背フレーム２１全体を、クッション体２２により覆う。【選択図】  図３
2010253143.tif 000002
【特許請求の範囲】
【請求項１】
座体の後端部より起立する背フレームにより、クッション体を支持してなる椅子の背凭れ構造において、前記背フレームを、左右方向を向く下部フレームと、この下部フレームの両側端部上面に立設された左右１対の側部フレームと、前記下部フレームの上面と左右の側部フレームにおける下部の対向面に連設された背板とにより、両側部フレームにおける前記背板より上方の対向面間が解放された正面視ほぼ凹形をなすものとし、左右の側部フレームにおける背板よりも上方の対向面間に弾性伸縮手段を設け、少なくとも前記弾性伸縮手段と背板とを、クッション体により覆ったことを特徴とする椅子の背凭れ構造。
【請求項２】
左右の側部フレームの上部を斜め後上方に円弧状に湾曲し、この湾曲部とそれよりも下方の少なくとも２箇所において、両側部フレームの対向面間に弾性伸縮手段を設けてなる請求項１記載の椅子の背凭れ構造。
【請求項３】
左右の側部フレームの前後寸法と左右寸法を、下方に向かうにしたがって漸次大としてなる請求項１または２記載の椅子の背凭れ構造。
【請求項４】
背板を、下部フレームと両側部フレームの後端部に連結することにより、背板の前方において下部フレームの上面上に、クッション体の下部が嵌合される凹入段部を形成してなる請求項１〜３のいずれかに記載の椅子の背凭れ構造。
【請求項５】
下部フレームの下面に、嵌合突部を下向きに突設し、この嵌合突部を座体の後端部に設けた嵌合孔に嵌合することにより、背フレームを座体の後端部により支持するようにしてなる請求項１〜４のいずれかに記載の椅子の背凭れ構造。
【発明の詳細な説明】
【技術分野】
【０００１】
本発明は、背フレームに、クッション体とこのクッション体を前後方向に撓ませうる弾性伸縮手段を設けてなる椅子の背凭れ構造に関する。
【背景技術】
【０００２】
このような椅子の背凭れ構造としては、枠状をなす背フレームの中央部に上下複数のＳ形ばねを張設し、このＳ形ばねの前面と、背フレームの両側部及び上部とをクッション体により覆ったものがある(例えば特許文献１及び２参照)。
【先行技術文献】
【特許文献】
【０００３】
【特許文献１】実開昭５８−２４２５７号公報
【特許文献２】実開昭６４−４９１４４号公報
【発明の概要】
【発明が解決しようとする課題】
【０００４】
上記特許文献１及び２に記載されている背凭れ構造においては、いずれも、背フレームは、その左右の側枠における上端部の対向面同士が支杆により連結された枠状をなしているので、背フレームの強度は大きい。
しかし、背フレームが枠状をなし、かつ側枠における上端部の対向面同士が支杆により連結されていると、背フレームの前面に取付けたクッション体が大きく後方に撓みうるのは、支杆よりも下方のＳ形ばねの部分だけとなり、クッション体の上部は後方に撓みにくいため、快適な背凭れ感が得られない。
また、背フレームの前面が、ほぼフラットな面とされているので、クッション体の位置決めが面倒であり、かつそれを安定よく装着することができない。
【０００５】
本発明は、上記問題点に鑑みてなされたもので、背フレームの強度を確保しながら、クッション体の上部を後方に撓み易くすることにより、快適な背凭れ感が得られるようにし、かつ背フレームに、クッション体を位置決めして安定よく装着しうるようにした椅子の背凭れ構造を提供することを目的としている。
【課題を解決するための手段】
【０００６】
本発明によると、上記課題は、次の各項のようにして解決される。
（１）座体の後端部より起立する背フレームにより、クッション体を支持してなる椅子の背凭れ構造において、前記背フレームを、左右方向を向く下部フレームと、この下部フレームの両側端部上面に立設された左右１対の側部フレームと、前記下部フレームの上面と左右の側部フレームにおける下部の対向面に連設された背板とにより、両側部フレームにおける前記背板より上方の対向面間が解放された正面視ほぼ凹形をなすものとし、左右の側部フレームにおける背板よりも上方の対向面間に弾性伸縮手段を設け、少なくとも前記弾性伸縮手段と背板とを、クッション体により覆う。
【０００７】
このような構成とすると、背フレームは、左右方向を向く下部フレームと、この下部フレームの両側端部上面に立設された左右１対の側部フレームと、下部フレームの上面と左右の側部フレームにおける下部の対向面に連設された背板とにより、正面視ほぼ凹形としてあるので、背フレームの下部の強度が大きく、かつ左右の側部フレームにおける背板より上方の対向面間を解放して、この部分に弾性伸縮手段を設けているので、クッション体に背中を凭れかけた際、背凭れにおける背板よりも上部が後方に効果的に撓むので、快適な背凭れ感が得られる。
【０００８】
（２）上記(１)項において、左右の側部フレームの上部を斜め後上方に円弧状に湾曲し、この湾曲部とそれよりも下方の少なくとも２箇所において、両側部フレームの対向面間に弾性伸縮手段を設ける。
【０００９】
このような構成とすると、クッション体に背中を凭れかけた際、背凭れの上半部を、後方と斜め後下方に撓ませうるので、より快適な背凭れ感が得られる。
【００１０】
（３）上記(１)または(２)項において、左右の側部フレームの前後寸法と左右寸法を、下方に向かうにしたがって漸次大とする。
【００１１】
このような構成とすると、背フレームの下半部の剛性が高まり、座者の腰部付近が安定よく支持されるとともに、上半部の撓み効果により、背中の部分が快適に支持されるので、座り心地が向上する。
【００１２】
（４）上記(１)〜(３)項のいずれかにおいて、背板を、下部フレームと両側部フレームの後端部に連結することにより、背板の前方において下部フレームの上面上に、クッション体の下部が嵌合される凹入段部を形成する。
【００１３】
このような構成とすると、クッション体の下部を凹入段部に嵌合することにより、背フレームに、クッション体を、上下左右方向に位置決めして安定よく装着することができる。
【００１４】
（５）上記(１)〜(４)項のいずれかにおいて、下部フレームの下面に、嵌合突部を下向きに突設し、この嵌合突部を座体の後端部に設けた嵌合孔に嵌合することにより、背フレームを座体の後端部により支持するようにする。
【００１５】
このような構成とすると、座体の後端部により、下部の強度が大とされた背フレームの下端部を、強固に、かつ体裁よく支持することができる。
【発明の効果】
【００１６】
本発明によれば、クッション体に背中を凭れかけた際、背凭れの上半部が後方に効果的に撓むので、快適な背凭れ感が得られる。
【図面の簡単な説明】
【００１７】
【図１】本発明を適用した連結椅子の正面図である。
【図２】同じく、側面図である。
【図３】同じく、一部切欠拡大正面図である。
【図４】図３のIV-IV線縦断側面図である。
【図５】同じく、V-V線拡大縦断側面図である。
【図６】背凭れ取付部材と背フレームとの連結前の斜視図である。
【図７】同じく、正面図である。
【図８】同じく、側面図である。
【図９】背フレームを後方より見た斜視図である。
【発明を実施するための形態】
【００１８】
以下、本発明の実施形態を、図面に基づいて説明する。
図１は、本発明を適用した、待合室等に設置される長椅子の正面図、図２は、同じく側面図で、この長椅子は、側面視山形状をなす左右１対の脚体１、１と、両脚体１に左右の端部が固着された角形の横杆２と、その上面に取付けられた同形をなす４脚の単体の椅子３と、各椅子３を挟む両側において横杆２に下端が固定された複数の肘掛け４とを備えている。
【００１９】
各椅子３は、一部切欠き拡大正面図である図３、及び図３のIV-IV線断面図である図４に示すように(同一構造に付き、右端側の椅子のみ図示する)、座体５と背凭れ６とを備え、座体５は、合板または合成樹脂等よりなる方形の座フレーム７と、その後端部の上面に固定された、左右寸法が座フレーム７のそれとほぼ等しい合成樹脂製の背凭れ取付部材８と、座フレーム７と背凭れ取付部材８との上面に、それらの下面を除いた全表面を覆うようにして止着されたクッション体９とからなっている。
【００２０】
座フレーム７は、その前後左右の４箇所が、横杆２に溶接された前後方向を向く左右１対のブラケット１０、１０の上端に、ボルト１１と、座フレーム７に埋設して回り止めされた雌ねじ筒１２により固定されている。
背凭れ取付部材８の前側の両側部は、図５に示すように、座フレーム７の後部に埋設して回り止めされた雌ねじ筒１２に、後記する段付孔１４に上方より嵌合したボルト１１を螺合させることより固定され、同じく後側の両側部は、座フレーム７の後端部に、後記する背フレーム２１と共に固定されている(詳細は後述する)。
【００２１】
図６〜図８にも示すように、背凭れ取付部材８は、側面形が概ね三角形をなし、斜め前下方に傾斜する前部傾斜面８ａの中央部には、クッション体９の後端部が入り込む凹部１３が形成され、この凹部１３を挟む両側の前部傾斜面８ａには、上記ボルト１１が嵌合される段付孔１４、１４が穿設されている。  凹部１３の前端部の上面には、クッション体９の後部側の上面の一部を下方に引き込むようにして固定する引込み部材(図示略)を係止するための二股状の係止片１５が、左右複数突設されている。
【００２２】
背凭れ取付部材８の斜め後下方に傾斜する後部傾斜面８ｂには、左右方向を向く後部起立片１６ａと、前後方向を向く左右の側部起立片１６ｂ、１６ｂとからなる平面視前向きコ字状の上向嵌合部１６が立設され、この上向嵌合部１６の内部空間を、左右に離間する仕切片１７、１７をもって仕切ることにより、両仕切片１７の外側には、左右方向に長く、かつ上方に開口する左右１対の角形の嵌合孔１８、１８が形成されている。この左右の嵌合孔１８、１８と対向する後部傾斜面８ｂの両側部には、嵌合孔１８と同形の有底の嵌合孔１９、１９が、上記両嵌合孔１８と連通するようにして形成されている(図５参照)。なお、後部傾斜面８ｂの前後寸法は、後記する背フレーム２１の下面と当接しうるように、嵌合孔１８、１９の前後寸法よりも大とされている。
【００２３】
背凭れ取付部材８の後端部下面には、座フレーム７の板厚とほぼ等しい上下寸法の突片２０が下向きに突設され、この突片２０の前面を座フレーム７の後端と当接させることにより、座フレーム７に対し背凭れ取付部材８を前後方向に位置決めすることができる(図５、図６参照)。
【００２４】
図３〜図５に示すように、背凭れ６は、合成樹脂製の背フレーム２１と、その下端部を除く全表面を覆うように、上方より被せられた、表面が表皮材２２ａにより覆われた袋状のクッション体２２とを備えている。
図６〜図８に示すように、背フレーム２１は、左右寸法が背凭れ取付部材８のそれよりも若干小とされた左右方向を向く下部フレーム２３と、この下部フレーム２３の両側部の上面より起立する左右１対の側部フレーム２４、２４と、両側部フレーム２４間の下半部の空間を閉塞するようにして、それらの対向面と下部フレーム２３の上面に一体的に連設された背板２５とからなり、下部フレーム２３と左右の側部フレーム２４の正面形状を、ほぼ上向きコ字状とするとともに、背フレーム２１の全体形状を、上半部が解放された正面視概ね凹形としてある。
【００２５】
図６〜図９に示すように、下部フレーム２３は、左右方向を向く垂直の後面板２３ａと、斜め上下方向を向く左右の側面板２３ｂ、２３ｂとを備え、全体を背凭れ取付部材８の後部傾斜面８ｂと同方向に傾斜させてある。
下部フレーム２３の左右寸法と前後寸法は、それぞれ、左右の側部フレーム２４、２４の外側面間の寸法、及び両側部フレーム２４の下端部の前後寸法よりも若干大とされ、下部フレーム２３の周縁部の上面に、クッション体２２における表皮材２２ａを除いた下端が当接して位置決めされる段差面２３ｃが形成されるようにしてある(図５参照)。また、下部フレーム２３の前後寸法は、後記する嵌合突部２７の前後寸法よりも大とされている。
【００２６】
後面板２３ａと左右の側面板２３ｂとにより囲まれた内部には、背凭れ取付部材８の上向嵌合部１６に上方より嵌合可能な上向きの嵌合凹部２６が形成され、この嵌合凹部２６の内部において下部フレーム２３の下面の前後方向のほぼ中央部には、背凭れ取付部材８の上向嵌合部１６と後部傾斜面８ｂとに形成した左右１対ずつの嵌合孔１８、１９に嵌合可能な、それらと補形をなす左右方向に長い角軸形の嵌合突部２７、２７が突設されている。
【００２７】
図５に示すように、嵌合突部２７と後面板２３ａとの対向面間には、背凭れ取付部材８の上向嵌合部１６における後部起立片１６ａが嵌合される上向きの凹孔２８が形成されている。
また、下部フレーム２３の周縁部の下面、すなわち、下部フレーム２３の前端部下面と、後面板２３ａと両側面板２３ｂの下端面とには、クッション体２２の表皮材２２ａの端末部を嵌合して係着するための係止溝２９が、連続して形成されている(図５、図７参照)。
【００２８】
左右の側部フレーム２４、２４の上部は、斜め後上方を向くように円弧状に湾曲され、かつ湾曲部から下側の前後寸法を、下方に向かうにしたがって漸次大としてある。  また、下部の互いの対向面を内方に向かって円弧状に湾曲することにより、両側部フレーム２４の下半部の左右寸法を、下方に向かうにしたがって漸次大としてある。このような構造としてあるため、両側部フレーム２４の下半部の剛性、すなわち前後及び左右方向の曲げ強度が大となり、背フレーム２１全体の強度をも高めることができる。
【００２９】
背板２５は、下部フレーム２３と左右の側部フレーム２４の後端部に連設され、図４及び図６に示すように、背板２５の前方かつ下部フレーム２３の上面上には、クッション体２２を上下左右方向に位置決めして安定よく装着するための凹入段部３０が形成されている。なお、背板２５の上半部の後面には、上下方向を向くリブ３１が、左右方向に間隔を設けて複数突設され、背板２５の強度が高められている。
【００３０】
左右の側部フレーム２４における円弧状の湾曲部の上端部と、背板２５のやや上方の対向面間とには、弾性伸縮手段としてのＳ形ばね３２、３２が、それらの両端を、両側部フレーム２４の内側面に内向き突設した上下２個ずつの係止部材３３、３３に係止することにより、前後方向に撓むようにして張設されている。
【００３１】
次に、座体５に背凭れ６を連結する要領について説明する。
まず、図４に示すように、背フレーム２１に、クッション体２２を上方より被せ、図５の拡大図に示すように、表皮材２２ａの端末部を、下部フレーム２３の周縁部の下面に形成した係止溝２９に差し込んで係着する。なおこの際、背板２５の前方における下部フレーム２３の上面上と、下部フレーム２３の周縁部とには、それぞれ、凹入段部３０と段差面２３ｃが形成されているので、クッション体２２を上下左右方向に容易に位置決めして安定よく装着することができる。
【００３２】
ついで、図５及び図６に示すように、座フレーム７の後部上面に前端部が固定された背凭れ取付部材８の左右１対の嵌合孔１８、１９に、背フレーム２１の下部フレーム２３に下向き突設した左右１対の嵌合突部２７、２７を、上方より嵌合する。この際、上向嵌合部１６の後部起立片１６ａも、嵌合突部２７と後面板２３ａとの対向面間に形成された凹孔２８に、がたなく嵌合される。
【００３３】
ついで、座フレーム７の後端部の左右両側部と、背凭れ取付部材８における左右の嵌合孔１９形成部の底壁と、左右の嵌合突部２７とに穿設された上下方向のボルト挿通孔３４に、上下方向を向く長寸のボルト３５を下方より挿入し、その上端部を、側部フレーム２４の下端部に形成された後方に開口する肉抜き孔３６内に突出させるとともに、肉抜き孔３６に圧嵌した金属板３７を貫通させて、この金属板３７の上面に溶接されたナット３８に螺合して締め付ける。
【００３４】
これにより、背フレーム２１の下端部と背凭れ取付部材８とが、座フレーム７の後端部に共締めされて強固に連結される。特に、背フレーム２１に突設した比較的長寸の嵌合突部２７を、背凭れ取付部材８の嵌合孔１８、１９に嵌合するとともに、背凭れ取付部材８の上面に突設した上向嵌合部１６における、嵌合突部２７と反対方向を向く後部起立片１６ａを、嵌合突部２７と後面板２３ａとの対向面間の凹孔２８に嵌合させ、この状態においてボルト３５とナット３８により締着しているので、背凭れ取付部材８に対する背フレーム２１の下端部の連結強度は極めて大となる。しかも、締め付け時において、背フレーム２１における下部フレーム２３の下面が、背凭れ取付部材８の後部傾斜面８ｂの上面に広い領域で密接するので、背フレーム２１が前後方向にぐらつくのが防止される。
【００３５】
また、左右の嵌合突部２７には、上下方向を向く長寸のボルト３５が貫通しており、この左右のボルト３５が、嵌合突部２７を補強する芯材として機能するので、背フレーム２１における連結部の前後方向の曲げ強度が大となる。
【００３６】
さらに、上記のような差し込み式の連結構造とすると、背凭れ取付部材８と背フレーム２１とが一体感を呈し、かつ互いの連結部も露呈しないので、体裁がよくなるとともに、座体５と背凭れ６との連結作業も容易となる。
【００３７】
ボルト３５とナット３８による締め付け時に、表皮材２２の下端が背凭れ取付部材８の上面に押し付けられるので、表皮材２２の端末部が係止溝２９より離脱するのが防止される。
【００３８】
上述したように、背フレーム２１は剛性が高く、かつ背フレーム２１の形状を、上半部が解放された正面視ほぼ凹形として、左右の側部フレーム２４、２４の上半部の対向面間に、Ｓ形ばね３２、３２を張設しているので、クッション体２２に背中を凭れかけた際、その上半部が後方に撓み易くなり、快適な背凭れ感が得られる。
【００３９】
なお、上記実施形態では、背フレーム２１全体をクッション体２２により覆っているが、下部フレーム２３と背板２５の後面側の一部を露出させることもある。  また、弾性伸縮手段は、上記Ｓ形ばね３２に代えて、ゴムベルト等を用いることもある。
上記実施形態では、背板２５を、両側部フレーム２４の下半部の対向面に連設しているが、その連設位置は下半部よりも下方であってもよい。
【００４０】
本発明は、上記連結椅子以外に、通常の単体椅子にも適用しうることは勿論である。
【符号の説明】
【００４１】
１  脚体
２  横杆
３  椅子
４  肘掛け
５  座体
６  背凭れ
７  座フレーム
８  背凭れ取付部材
８ａ前部傾斜面
８ｂ後部傾斜面
９  クッション体
１０  ブラケット
１１  ボルト
１２  雌ねじ筒
１３  凹部
１４  段付孔
１５  係止片
１６  上向嵌合部
１６ａ後部起立片
１６ｂ側部起立片
１７  仕切片
１８  嵌合孔
１９  嵌合孔
２０  突片
２１  背フレーム
２２  クッション体
２２ａ表皮材
２３  下部フレーム
２３ａ後面板
２３ｂ側面板
２３ｃ段差面
２４  側部フレーム
２５  背板
２６  嵌合凹部
２７  嵌合突部
２８  凹孔
２９  係止溝
３０  凹入段部
３１  リブ
３２  Ｓ形ばね(弾性伸縮手段)
３３  係止部材
３４  ボルト挿通孔
３５  ボルト
３６  肉抜き孔
３７  金属板
３８  ナット
【図１】
2010253143.tif 000003
【図２】
2010253143.tif 000004
【図３】
2010253143.tif 000005
【図４】
2010253143.tif 000006
【図５】
2010253143.tif 000007
【図６】
2010253143.tif 000008
【図７】
2010253143.tif 000009
【図８】
2010253143.tif 000010
【図９】
2010253143.tif 000011